(57)【要約】【課題】たとえセパレータに傾きが生じたとしても、可動接触子が傾斜した状態とならず、可動接点と固定接点とを安定接触させることが可能で、ひいては接点同士の溶着等を防止可能な回路遮断器を提供する。【解決手段】可動接触子１２に部分的に左右方向幅が狭くなる狭幅部を設け、該狭幅部をセパレータ１１に押圧される押圧部１２ｂとしている。そのため、たとえセパレータ１１に傾きが生じた場合であっても、各可動接触子１２の左右方向への傾斜を最小限に抑えることができる。したがって、各可動接点１２ａを固定接点１３ａに対して傾きのない状態で安定接触させることが可能となり、可動接点１２ａと固定接点１３ａとの接触時に可動接点１２ａに回転モーメントが加わる等しないため固定接点への不安定な接触を抑止することができ、ひいてはアークの発生による接点同士の溶着といった事態を効果的に防止することができる。【選択図】図３
2008103266.tif 000002
【特許請求の範囲】
【請求項１】
水平方向に複数の電路を並設し、各電路に可動接点と固定接点とからなる開閉接点部を設けるとともに、前記電路の並設方向へ長いセパレータを前記可動接点と前記固定接点との接触／解離方向へ移動可能に設け、前記セパレータが前記可動接点を有する可動接触子に当接して該可動接触子を押圧することにより、全電路の前記可動接点を前記固定接点側へ同期させて移動させ、前記開閉接点部を閉操作して前記電路を通電可能とする一方、過電流や漏電、短絡等といった異常が発生すると、前記セパレータによる前記可動接触子の押圧動作を解除して前記開閉接点部を開操作し、前記電路を遮断する回路遮断器であって、
前記可動接触子に、部分的に前記並設方向への幅が狭くなる狭幅部を設け、前記セパレータが該狭幅部に当接して前記可動接触子を押圧することを特徴とする回路遮断器。
【請求項２】
可動接触子に、切り欠き又はセパレータ当接側とは逆側への切り起こしを設けることにより狭幅部を形成したことを特徴とする請求項１に記載の回路遮断器。
【請求項３】
可動接触子に、セパレータ当接側へ突出する凸部を設け、該凸部を狭幅部としたことを特徴とする請求項１に記載の回路遮断器。
【請求項４】
可動接触子が、可動接触子本体に狭幅部を有する当接部材を取り付けてなる請求項１に記載の回路遮断器。
【請求項５】
水平方向に複数の電路を並設し、各電路に可動接点と固定接点とからなる開閉接点部を設けるとともに、前記電路の並設方向へ長いセパレータを前記可動接点と前記固定接点との接触／解離方向へ移動可能に設け、前記セパレータが前記可動接点を有する可動接触子に当接して該可動接触子を押圧することにより、全電路の前記可動接点を前記固定接点側へ同期させて移動させ、前記開閉接点部を閉操作して前記電路を通電可能とする一方、過電流や漏電、短絡等といった異常が発生すると、前記セパレータによる前記可動接触子の押圧動作を解除して前記開閉接点部を開操作し、前記電路を遮断する回路遮断器であって、
前記セパレータに、可動接触子よりも前記並設方向への幅が狭い突起状の狭幅部を設け、前記セパレータが該狭幅部を前記可動接触子に当接させて該可動接触子を押圧することを特徴とする回路遮断器。
【発明の詳細な説明】
【技術分野】
【０００１】
本発明は、水平方向に並設された複数の可動接触子をセパレータにより動作させて、電路を開閉操作する回路遮断器に関するものである。
【背景技術】
【０００２】
たとえば特許文献１に記載されているような、従来の回路遮断器における可動接触子及び該可動接触子を動作させるセパレータについて、図９及び１０をもとに説明する。図９は、従来の回路遮断器における可動接触子４１及びセパレータ４２を示した斜視説明図であり、図１０は、従来の回路遮断器における電路の開閉接点部を示した説明図である。尚、図１０において、可動接点４１ａの可動接触子４１上面から更に上方へ突出する部分等については省略している。
図示しない遮断器ケース内には、前後方向へ長い矩形状に形成された本体の一端に可動接点４１ａを備えてなる複数の可動接触子４１、４１・・が左右方向へ並設されているとともに、端部に固定接点４５ａが設けられてなる複数の固定接触子４５、４５・・が、可動接触子４１、４１・・同様、左右方向へ並設されている。また、左右方向へ長い板状体に形成されたセパレータ４２が、起立状態で遮断器ケース内を図示しない操作ハンドルの操作に応じて上下動可能に設けられており、下方への移動に伴い可動接触子４１、４１・・の本体平面部を押圧可能となっている。そして、該セパレータ４２の上下動により、可動接点４１ａ、４１ａ・・を固定接点４５ａ、４５ａ・・へ接触／解離させることで、電路が開閉されるようになっている。尚、４３は、セパレータ４２の上下動をガイドするガイド部材である。
【０００３】
【特許文献１】特開２００３−３１０９８号公報
【発明の開示】
【発明が解決しようとする課題】
【０００４】
一般的に、回路遮断器では、操作ハンドルを操作してセパレータ４２を下方へ移動させ、可動接点４１ａ、４１ａ・・と固定接点４５ａ、４５ａ・・とを接触させようとした場合、セパレータ４２やガイド部材４３等の各種機構部部品の寸法誤差に起因してセパレータ４２に傾きが生じることがある。この場合、上記従来の回路遮断器では、セパレータ４２が各可動接触子４１の平面部を押圧するため、押圧された可動接触子４１も傾斜した状態となり、たとえば図１０に示す如く右端の可動接点４１ａが傾いた状態で固定接点４５ａと接触するといったアンバランス状態が生じることになる。該アンバランス状態においては、右端の可動接点４１ａに、左端の接点同士が接触するまでの間、図１０中矢印で示した方向へ回転モーメントが加わるため、その際に可動接点４１ａが不安定な接触をしてアークが発生し、可動接点４１ａと固定接点４５ａとが溶着するおそれが高くなる等といった問題がある。
【０００５】
そこで、本発明は、上記問題に鑑みなされたものであって、たとえセパレータに傾きが生じたとしても、可動接触子（すなわち、可動接点）が傾斜した状態とならず、可動接点と固定接点とを安定接触させることが可能で、ひいては接点同士の溶着等を防止可能な回路遮断器を提供しようとするものである。
【課題を解決するための手段】
【０００６】
上記目的を達成するために、本発明のうち請求項１に記載の発明は、水平方向に複数の電路を並設し、各電路に可動接点と固定接点とからなる開閉接点部を設けるとともに、前記電路の並設方向へ長いセパレータを前記可動接点と前記固定接点との接触／解離方向へ移動可能に設け、前記セパレータが前記可動接点を有する可動接触子に当接して該可動接触子を押圧することにより、全電路の前記可動接点を前記固定接点側へ同期させて移動させ、前記開閉接点部を閉操作して前記電路を通電可能とする一方、過電流や漏電、短絡等といった異常が発生すると、前記セパレータによる前記可動接触子の押圧動作を解除して前記開閉接点部を開操作し、前記電路を遮断する回路遮断器であって、前記可動接触子に、部分的に前記並設方向への幅が狭くなる狭幅部を設け、前記セパレータが該狭幅部に当接して前記可動接触子を押圧することを特徴とする。
請求項２に記載の発明は、請求項１に記載の発明において、可動接触子に、切り欠き又はセパレータ当接側とは逆側への切り起こしを設けることにより狭幅部を形成したことを特徴とする。
請求項３に記載の発明は、請求項１に記載の発明において、可動接触子に、セパレータ当接側へ突出する凸部を設け、該凸部を狭幅部としたことを特徴とする。
請求項４に記載の発明は、請求項１に記載の発明において、可動接触子が、可動接触子本体に狭幅部を有する当接部材を取り付けてなることを特徴とする。
また、上記目的を達成するために、本発明のうち請求項５に記載の発明は、水平方向に複数の電路を並設し、各電路に可動接点と固定接点とからなる開閉接点部を設けるとともに、前記電路の並設方向へ長いセパレータを前記可動接点と前記固定接点との接触／解離方向へ移動可能に設け、前記セパレータが前記可動接点を有する可動接触子に当接して該可動接触子を押圧することにより、全電路の前記可動接点を前記固定接点側へ同期させて移動させ、前記開閉接点部を閉操作して前記電路を通電可能とする一方、過電流や漏電、短絡等といった異常が発生すると、前記セパレータによる前記可動接触子の押圧動作を解除して前記開閉接点部を開操作し、前記電路を遮断する回路遮断器であって、前記セパレータに、可動接触子よりも前記並設方向への幅が狭い突起状の狭幅部を設け、前記セパレータが該狭幅部を前記可動接触子に当接させて該可動接触子を押圧することを特徴とする。
【発明の効果】
【０００７】
本発明のうち請求項１に記載の発明によれば、可動接触子に、部分的に並設方向への幅が狭くなる狭幅部を設け、セパレータが該狭幅部に当接して可動接触子を押圧するようにしている。そのため、並設方向での幅が広い平面部を押圧していた従来のものと比較すると、たとえセパレータに傾きが生じた場合であっても、各可動接触子の左右方向への傾斜を最小限に抑えることができる。したがって、各可動接点を固定接点に対して傾きのない状態で安定接触させることが可能となり、可動接点と固定接点との接触時に、可動接点に回転モーメントが加わる等しないため、可動接点と固定接点とが不安定な接触をするといった事態を抑止することができ、ひいてはアークの発生による接点同士の溶着といった事態を効果的に防止することができる。
また、請求項２及び３に記載の発明によれば、可動接触子に切り欠きや切り起こし、凸部を設けることで、狭幅部を形成するようにしているため、別途部材を用いて可動接触子に狭幅部を形成するようなものと比較すると、構成の簡素化を図ることができる。
さらに、請求項２及び４に記載の発明によれば、従来から使用されている可動接触子に切り欠きや切り起こしを設けたり、当接部材を取り付けるだけで構成可能となっており、汎用性に富む
一方、本発明のうち請求項５に記載の発明によれば、セパレータに、可動接触子よりも並設方向への幅が狭い突起状の狭幅部を設け、セパレータが該狭幅部を可動接触子に当接させて該可動接触子を押圧するようにしている。したがって、請求項１に記載の発明同様、並設方向での幅が広い平面部を押圧していた従来のものと比較すると、たとえセパレータに傾きが生じた場合であっても、各可動接触子の左右方向への傾斜を最小限に抑えることができる。そのため、各可動接点を固定接点に対して傾きのない状態で安定接触させることが可能となり、可動接点と固定接点との接触時における不安定な接触を抑止することができ、ひいてはアークの発生による接点同士の溶着といった事態を効果的に防止することができる。
【発明を実施するための最良の形態】
【０００８】
以下、本発明の一実施形態となる回路遮断器について、図面にもとづき説明する。
図１は、本実施形態に係る回路遮断器１を上方から示した説明図であり、図２は、回路遮断器１の前後方向断面を左側方から示した断面説明図である。尚、図１及び２における上下方向を、回路遮断器１の前後方向として、図２における左右方向を、回路遮断器１の上下方向（図１右方が回路遮断器上方）として説明する。
【０００９】
回路遮断器１は、単相三線式電路に使用するものであって、合成樹脂製の遮断器ケース２の後部には、分電盤内等に配置された導体バーに連結金具（図示せず）等を介して連結される電源側端子３が配置されている。該電源側端子３は、３つの端子Ｐ１、Ｐ２、Ｐ３を左右方向へ並設して構成される。また、遮断器ケース２の前部には、３つの端子Ｌ１、Ｌ２、Ｌ３を左右方向へ並設してなる負荷側端子４が設けられている。さらに、遮断器ケース２の上面には、後述の如くして電路を開閉操作する操作ハンドル５が、左右方向を軸として前後方向へ回動可能に設けられている。
【００１０】
また、遮断器ケース２内には、電源側端子３から負荷側端子４へ亘って電路が設けられており、該電路の途中には、可動接点１２ａと固定接点１３ａとからなる開閉接点部６が設けられている。さらに、遮断器ケース２内には、左右方向へ長い棒状体に形成され、操作ハンドル５に連結されたトグルリンク機構７により上下動するセパレータ（接点操作部材）１１が設けられている。そして、操作ハンドル５を操作してセパレータ１１を下方へ移動させ、可動接点１２ａを有する可動接触子１２を下方へ押圧して可動接点１２ａと固定接点１３ａとを接触させることにより、電路を通電可能な状態とすることができる。一方、遮断器ケース２内には、過電流を検知するとセパレータ１１を強制的に上方へ移動させる（すなわち、遮断方向へ移動させる）べく動作するトリップコイル８等も設置されており、過電流等の所謂異常が発生すると、セパレータ１１を強制的に上方へ移動させ、開閉接点部６を開状態とし（すなわち、可動接点１２ａを固定接点１３ａから解離させ）て、電路を遮断可能としている。
【００１１】
ここで、上記開閉接点部６を構成する可動接点１２ａを備えた可動接触子１２について、図３及び４をもとに説明する。図３（ａ）は、可動接触子１２、１２・・とセパレータ１１とを示した斜視説明図であり、図３（ｂ）は、一の可動接触子１２を拡大して示した斜視説明図である。また、図４（ａ）は、セパレータ１１が可動接触子１２、１２・・を押圧する様子を示した説明図であり、図４（ｂ）は、セパレータ１１が可動接触子１２に当接した状態を示した断面説明図である。
【００１２】
可動接触子１２は、矩形状に成形された本体の後端に可動接点１２ａを設けてなるもので、該本体の略中央部の左右両側縁には、下方へ切り起こされた一対の切り起こし１５、１５が設けられている。そして、該切り起こし１５、１５間に設けられた部分（狭幅部）は、セパレータ１１が当接する押圧部１２ｂとして機能する。
このように構成された可動接触子１２は、電源側端子３や負荷側端子４と同様、左右方向に３つ並設されており、セパレータ１１が下方へ移動すると、３つの可動接触子１２、１２・・の押圧部１２ｂ、１２ｂ・・が略同時に押圧されて可動接点１２ａ、１２ａ・・が同期して下方へ移動し、固定接点１３ａ、１３ａ・・と接触するようになっている。尚、各可動接触子１２の下方には、可動接触子１２を上方へ付勢するバネ部材９が設置されており、セパレータ１１が上方へ移動する（すなわち、可動接触子１２の押圧が解除となる）と、可動接触子１２は、可動接点１２ａは固定接点１３ａから解離するまでバネ部材９により押し上げられる。また、一端に固定接点１３ａが設けられてなる固定接触子１３は、可動接触子１２同様、左右方向へ３つ並設されている。
【００１３】
以上のような構成を有する回路遮断器１によれば、各可動接触子１２に左右方向幅が狭い狭幅部を設け、該狭幅部をセパレータ１１に押圧される押圧部１２ｂとしている。そのため、左右方向幅の広い面を押圧していた従来のものと比較すると、たとえセパレータ１１に寸法誤差等に起因する傾きが生じた場合であっても、各可動接触子１２の左右方向への傾斜を最小限に抑えることができる。したがって、図４に示す如く、各可動接点１２ａを固定接点１３ａに対して傾きのない状態で安定接触させることが可能となり、可動接点１２ａと固定接点１３ａとの接触時において可動接点１２ａに回転モーメントが加わる等しないため不安定な接触を抑止することができ、ひいてはアークの発生による接点同士の溶着といった事態を効果的に防止することができる。
【００１４】
また、可動接触子１２のセパレータ１１に押圧される部分の左右両側縁を下方へ切り起こすことにより、左右方向幅が狭い押圧部１２ｂを形成するようにしているため、別途部材を用いて可動接触子１２に押圧部１２ｂを形成するようなものと比較すると、構成の簡素化を図ることができる。さらに、従来から使用されている可動接触子１２に切り起こし１５、１５を設けるだけで構成可能となっており、汎用性に富む。
【００１５】
なお、本発明の回路遮断器に係る構成は、上記実施形態に記載の態様に何ら限定されるものではなく、可動接触子、セパレータ、電源側端子、負荷側端子、及び各種機構等に係る構成を、本発明の趣旨を逸脱しない範囲で、必要に応じて適宜変更することができる。
【００１６】
たとえば、上記実施形態では可動接触子に狭幅部を形成するにあたって、本体の左右両側縁部に一対の切り起こしを設ける構成を採用しているが、本体の左右どちらか一方の側縁部にのみ切り起こしを設けることで可動接触子に狭幅部を形成するようにしてもよいし、下記のような可動接触子を採用してもよい。以下、可動接触子の変更例について、図５〜７をもとに説明する。図５〜７は、可動接触子の変更例について示した説明図であり、（ａ）は可動接触子とセパレータとを示した斜視説明図、（ｂ）は一の可動接触子を拡大して示した斜視説明図である。
【００１７】
図５に記載の可動接触子２１は、本体の左右両側縁部に一対の切り欠き２１ａ、２１ａを設けることにより、狭幅部２１ｂを形成したものである。尚、左右どちらか一方の側縁部にのみ切り欠きを設けるような構成としてもよい。
図６に記載の可動接触子２２は、本体上面の略中央に、本体よりも左右方向で幅が狭い凸部２２ａを突設し、該凸部２２ａをセパレータ１１が押圧する狭幅部としたものである。
図７に記載の可動接触子２３は、上面に左右方向へ下降傾斜する山形のテーパ面２３ｂが形成された環状部材（当接部材）２３ａを本体に嵌装してなるもので、山形のテーパ面２３ｂの頂部２３ｃが狭幅部として機能するようになっている。
以上のような可動接触子２１〜２３であっても、セパレータ１１が当接する部分が左右方向幅の狭い狭幅部に形成されているため、たとえセパレータ１１に傾きが生じた場合であっても、各可動接触子２１〜２３の左右方向への傾斜を最小限に抑えることができる。したがって、各可動接点１２ａを固定接点１３ａに対して傾きのない状態で安定接触させることが可能となり、可動接点１２ａと固定接点１３ａとの接触時における不安定な接触を抑止することができ、ひいてはアークの発生による接点同士の溶着といった事態を効果的に防止することができる。また、可動接触子２１、２２では、構成の簡素化を図ることができるといった効果を奏することができ、可動接触子２１、２３では、従来から使用されている可動接触子に切り欠き２１ａや環状部材２３ａを設けるだけで構成可能となっており、汎用性に富むといった効果を奏することができる。尚、一の可動接触子に複数の上述したような狭幅部を設けることも可能である。
【００１８】
また、可動接触子に狭幅部を設けるのではなく、図８に示すようにセパレータ側に狭幅部を設けるようにしてもよい。つまり、セパレータの下面に、下方へ突出し、且つ、可動接触子より左右方向幅の狭い突条部（狭幅部）を設け、該突条部により可動接触子の略中央部を押圧するように構成してもよい。該構成を採用したとしても、各可動接触子の左右方向への傾斜を最小限に抑えることができ、上記可動接触子に狭幅部を設けてなる構成と同様の効果を奏することができる。尚、図８（ａ）では、セパレータ３１に逆三角状の突条部３１ａを設けており、図８（ｂ）では、セパレータ３２に半円状の突条部３１ｂを設けている。このように、突条部の形状は適宜変更可能であって、他にもセパレータの下面にラック歯状の波形部を設け、該波形部により可動接触子を押圧する等といった構成が考えられる。
【００１９】
さらに、セパレータによる遮断動作も上記実施形態に記載の態様に何ら限定されることはなく、上方への移動により電路を閉じ、下方への移動により電路を開くように構成してもよいし、水平移動により電路を開閉するように構成することも可能である。またさらに、そのようなセパレータの設置態様の変更に応じて、可動接触子やセパレータに設ける狭幅部の位置も変更して何ら問題はない。
【００２０】
加えて、上記実施形態では、単相三線式電路対応の回路遮断器を示しているが、多極型の回路遮断器であれば、端子数が３つに限定されることはないし、漏電を検知すると電路を遮断する漏電遮断機能や短絡を検知すると電路を遮断する短絡遮断機能等の種々の機能を備えることも可能である。
【図面の簡単な説明】
【００２１】
【図１】本実施形態に係る回路遮断器を上方から示した説明図である。
【図２】回路遮断器の前後方向断面を左側方から示した断面説明図である。
【図３】（ａ）は、可動接触子とセパレータとを示した斜視説明図であり、（ｂ）は、一の可動接触子を拡大して示した斜視説明図である。
【図４】（ａ）は、セパレータが可動接触子を押圧する様子を示した説明図であり、（ｂ）は、セパレータが可動接触子に当接した状態を示した断面説明図である。
【図５】可動接触子の変更例について示した説明図であり、（ａ）は可動接触子とセパレータとを示した斜視説明図、（ｂ）は一の可動接触子を拡大して示した斜視説明図である。
【図６】可動接触子の変更例について示した説明図であり、（ａ）は可動接触子とセパレータとを示した斜視説明図、（ｂ）は一の可動接触子を拡大して示した斜視説明図である。
【図７】可動接触子の変更例について示した説明図であり、（ａ）は可動接触子とセパレータとを示した斜視説明図、（ｂ）は一の可動接触子を拡大して示した斜視説明図である。
【図８】セパレータの変更例を示した説明図である。
【図９】従来の回路遮断器における可動接触子及びセパレータを示した斜視説明図である。
【図１０】従来の回路遮断器における電路の開閉接点部を示した説明図である。
【符号の説明】
【００２２】
１・・回路遮断器、２・・遮断器ケース、３・・電源側端子、４・・負荷側端子、５・・操作ハンドル、６・・開閉接点部、１１・・セパレータ、１２・・可動接触子、１２ａ・・可動接点、１３・・固定接触子、１３ａ・・固定接点、１５・・切り起こし。
【図１】
2008103266.tif 000003
【図２】
2008103266.tif 000004
【図３】
2008103266.tif 000005
【図４】
2008103266.tif 000006
【図５】
2008103266.tif 000007
【図６】
2008103266.tif 000008
【図７】
2008103266.tif 000009
【図８】
2008103266.tif 000010
【図９】
2008103266.tif 000011
【図１０】
2008103266.tif 000012